(57)【要約】      （修正有）【課題】医療施設や介護施設、在宅介護における拘縮や筋萎縮症、脳疾患等により手指に硬直症状を有する被介護者の、自身の爪による手のひらの創傷、皮膚のただれや褥瘡、汚れの蓄積を防ぐことができ、介護者が着脱させやすく、洗濯も容易であるという介護する側の介護性を満足するものでありながら、被介護者側にも好適な介護具に好適な保護具を提供する。【解決手段】手のひらを保護するための握り部１を有する保護具であって、握り部の少なくとも一方の端部に、指間に差し込まれる突出部２ａを有するバンド状部２を設けてなることを特徴とする介護具。あるいは握り部内部に芯材３を有し、且つその芯材を握り部内部から出し入れできることを特徴とする介護具。あるいは握り部の長手方向に直交する断面における外接円の直径が２５〜５５ｍｍであり、且つその内接円の直径が１５ｍｍ〜４５ｍｍの範囲であることを特徴とする保護具。【選択図】  図１
2004201976.tif 000002
【特許請求の範囲】
【請求項１】
手のひらを保護するための握り部を有する保護具であって、該握り部の長手方向に直交する断面における外接円の直径が２５〜５５ｍｍの範囲であり、且つその内接円の直径が１５ｍｍ〜４５ｍｍの範囲であることを特徴とする保護具。
【請求項２】
握り部内部に芯材を有することを特徴とする請求項１記載の保護具。
【請求項３】
握り部が袋状であり、芯材を該握り部内部から出し入れ自在に構成してなることを特徴とする請求項２記載の保護具。
【請求項４】
握り部の少なくとも一方の端部に、指間に差し込まれる突出部を有し該握り部を固定するためのバンド状部を設けてなることを特徴とする請求項１〜３のいずれかに記載の保護具。
【請求項５】
手のひらを保護するための握り部を有する介護具であって、該握り部内部に芯材を有し、且つ該芯材を該握り部内部から出し入れ自在に構成してなることを特徴とする保護具。
【請求項６】
握り部の少なくとも一方の端部に、指間に差し込まれる突出部を有し該握り部を固定するためのバンド状部を設けてなることを特徴とする請求項５記載の保護具。
【請求項７】
握り部の長手方向に直交する断面における外接円の直径が２５〜５５ｍｍの範囲であり、且つその内接円の直径が１５ｍｍ〜４５ｍｍの範囲であることを特徴とする請求項５または６記載の保護具。
【請求項８】
手のひらを保護するための握り部を有する保護具であって、該握り部の少なくとも一方の端部に、指間に差し込まれる突出部を有し該握り部を固定するためのバンド状部を設けてなることを特徴とする保護具。
【請求項９】
握り部内部に芯材を有し、且つ該芯材を該握り部内部から出し入れ自在に構成してなることを特徴とする請求項８記載の保護具。
【請求項１０】
握り部の長手方向に直交する断面における外接円の直径が２５〜５５ｍｍの範囲であり、且つその内接円の直径が１５ｍｍ〜４５ｍｍの範囲であることを特徴とする請求項８または９記載の保護具。
【発明の詳細な説明】
【０００１】
【発明の属する技術分野】
本発明は、手のひらを保護するための握り部を有する介護具等に用いられる保護具に関するものである。
【０００２】
【従来の技術】
脳疾患による麻痺や拘縮、筋萎縮症等により手指に硬直症状を有する被介護者は、自分の意志で自由に手を動かすことができず、指が硬く握りしめられた状態になっているため、自身の爪で手のひらを創傷したり、皮膚同士の圧迫によるただれや褥瘡、汚れの蓄積など健康、衛生上好ましくない状態にある。
【０００３】
これらの問題を解決するため、従来、手のひら内の汚れの蓄積や皮膚同士の圧迫を防止するため、木炭にガーゼを巻いた介護具を握らせていた。これに吸汗性や消臭・防臭性を持たせるため、吸水、透水性または消臭、防臭機能を有する筒状の材料に、吸水、透水性または抗菌、殺菌機能を有する材料を外装したもの（特許文献１、特許文献２参照）、指同士の圧迫を防ぎ、汗を吸汗するため握り部に突出部または紐を設けたもの（特許文献２、特許文献４、特許文献５、特許文献６参照）、通気性を良くし、手のひら内の蒸れを防ぐため、介護具内部に中心部が空洞の芯材を設けたもの（特許文献２、特許文献６参照）、同様の目的で介護具内部に粒状体を充填したもの（特許文献３、特許文献４参照）、同様の目的で通風性のある疎巻コイルを用いたもの（特許文献７参照）、介護具の落下防止のため手のひらと握り部を固定するバンドを設けたもの（特許文献２、特許文献３、特許文献４、特許文献５参照）等が提案されている。
【０００４】
【特許文献１】
実行平３−４９８２３号公報
【０００５】
【特許文献２】
実行平７−１５５４３号公報
【０００６】
【特許文献３】
特開２００１−２５２３１４号公報
【０００７】
【特許文献４】
特開平１０−９４５６９号公報
【０００８】
【特許文献５】
特開平２００２−１４３１９８号公報
【０００９】
【特許文献６】
特開２００２−１３６４４７号公報
【００１０】
【特許文献７】
特開２００２−２０４８０６号公報
【００１１】
【発明が解決しようとする課題】
しかしながら、従来の円柱形状の介護具は、手が硬直し、指が硬く握りしめた状態となっている被介護者の手に介護者が着脱させるには、円柱形状が太すぎて指と手掌の間に入れ難いという問題があった。
【００１２】
また、従来の手のひら状または本体に突出部のある介護具においても、突出部が障害になり着脱し難いという問題があった。また、突出部を手が硬直した患者の手指の間に挟ませることは並大抵ではない力を要し、介護者の疲労が大きいという問題があった。
【００１３】
さらに、内部に芯材を挿入した介護具は、芯材が障害となり、洗濯し難く、洗濯後の乾きが悪いという問題があった。
【００１４】
このように従来の介護具は、いずれも被介護者側に好適な介護具であるものの、介護する側の介護性を満足させるものではなかった。
【００１５】
そこで、本発明の目的はかかる従来技術の欠点を改良し、介護者が着脱させやすく、また芯材の取り外しが容易である介護具に好適な保護具を提供することにある。
【００１６】
【課題を解決するための手段】
前記課題を達成するため、本発明の保護具は下記の構成から成る。
【００１７】
すなわち、本発明の保護具の一態様は、手のひらを保護するための握り部を有する介護具であって、該握り部の長手方向に直交する断面における外接円の直径が２５〜５５ｍｍの範囲であり、且つ同じく、その長手方向に直交する断面における内接円の直径が１５ｍｍ〜４５ｍｍの範囲であることを特徴とするものである。この保護具においては、好ましくは、握り部内部に芯材を有し、且つ該握り部を袋状にするなどして、その芯材を該握り部内部から出し入れ自在に構成することができる。さらに好ましくは、握り部の少なくとも一方の端部に、指間に差し込まれる突出部を有し握り部を固定するためのバンド状部を設けてなるものである。
【００１８】
また、本発明の保護具の他の態様は、手のひらを保護するための握り部を有する介護具であって、握り部内部に芯材を有し、且つその芯材を該握り部内部から出し入れ自在に構成してなることを特徴とするものである。そしてこの介護具においては、好ましくは、握り部の少なくとも一方の端部に、指間に差し込まれる突出部を有し握り部を固定するためのバンド状部を設けてなるものである。さらに好ましくは、該握り部の長手方向に直交する断面における外接円の直径が２５〜５５ｍｍの範囲であり、且つ同じく、その長手方向に直交する断面における内接円の直径が１５ｍｍ〜４５ｍｍの範囲であることを特徴とするものである。
【００１９】
また更に、本発明の保護具の他の態様は、手のひらを保護するための握り部を有する介護具であって、握り部の少なくとも一方の端部に、指間に差し込まれる突出部を有し握り部を固定するためのバンド状部を設けてなることを特徴とするものである。この保護具においては、好ましくは、握り部内部に芯材を有し、且つその芯材を該握り部内部から出し入れ自在に構成することができる。さらに好ましくは、該握り部の長手方向に直交する断面における外接円の直径が２５〜５５ｍｍの範囲であり、且つ同じく、その長手方向に直交する断面における内接円の直径が１５ｍｍ〜４５ｍｍの範囲であることを特徴とするものである。
【００２０】
【発明の実施の形態】
以下、図面に示す実施例に基づいて本発明の保護具をさらに詳しく説明する。
【００２１】
図１は、本発明の保護具の一例を示す外観図（斜視図）であり、図２は、図１の保護具の側面図であり、図３は、図１の保護具の長手方向Ａ線上の断面図であり、図４は、図１の握り部１の長手方向Ａの直交方向Ｂ線上の断面図であり、図５は、図１の保護具の使用例を示す概念図である。また図６は、手の甲部を示す全体図であり、図７は、指の構成図であり、図８は、保護具の把持動作における手の甲部を示す状態図であり、そして図９は、手の手囲を示す図である。
【００２２】
図１〜図５に示した保護具は、基本的に握り部１と、バンド状部２、２と、芯材３とで構成されている。図１〜３では、握り部１の一端部に突出部２ａを有するバンド状部２が、また他端部には突出部２ａのないバンド状部２が設けられている。また、握り部１の内部に芯材３を有し、且つその芯材３を握り部１内部から出し入れ自在にできるようにしたものであり、握り部１の長手方向（Ａ線方向）に直行するＢ線上断面における外接円Ａ１の直径ａ１と同内接円Ａ２の直径ａ２を異なる寸法にしたものである。
【００２３】
本発明の保護具を構成する要素として、着脱性およびフィット性を満足させるため、図４に示すように、握り部１のＢ線上断面における外接円Ａ１の直径ａ１が好適には２５〜５５ｍｍであり、且つ同じくＢ線上断面における内接円Ａ２の直径ａ２が好適には１５ｍｍ〜４５ｍｍの範囲である。外接円Ａ１の直径ａ１は少なくとも内接円Ａ２の直径ａ２以上の大きさを有し、その差異は好ましくは０〜３０ｍｍが有効である。
【００２４】
ここでいう外接円とは、一つの円の外部と接する円、または一つの多角形を囲む円において、直径が最も小さい円のことである。また、内接円とは、一つの円または多角形の内部に接する円において、直径が最も大きい円のことである。
【００２５】
握り部１のＢ線上断面における外接円Ａ１の直径ａ１は、握り部１を把持した際、図６に示すように、各指の第二関節Ｄもしくは第一関節Ｅと、指の付け根関節Ｃの下にある手掌のくぼみもしくはその前後の間にできる距離、すなわち６０歳〜９９歳男女の平均長さである２５〜５５ｍｍ（参考文献１「日本人の人体計測データ」人間生活工学研究センター出版  平成９年１０月発行）の範囲が、着脱性、フィット性共に良く好適である。外接円Ａ１の直径ａ１が２５ｍｍより小さいと、握り部１を把持した際、指先が手掌に接触し、フィット性が悪くなる可能性がある。逆に、外接円Ａ１の直径ａ１が５５ｍｍより大きいと、手中に収まりきらず、着脱性が悪くなる可能性がある。より好適には３５〜４５ｍｍの範囲が好ましい。
【００２６】
また、握り部１のＢ線上断面における内接円Ａ２の直径ａ２は、握り部１を把持した際、指の付け根関節Ｃの下にある手掌のくぼみ〜各指の第二関節Ｄのいずれかの部分と、人差し指〜小指の第一関節Ｅ前後もしくは親指の付け根関節Ｃ前後、の間にできる距離、すなわち６０歳〜９９歳男女の平均長さである１５ｍｍ〜４５ｍｍ（上記参考文献１）の範囲が、着脱性、フィット性共に良く好適である。内接円Ａ２の直径ａ２が１５ｍｍより小さいと、握り部１を把持した際、介護具と手のひらとの間にすき間ができてしまい、フィット性が悪くなる可能性がある。逆に、内接円Ａ２の直径ａ２が４５ｍｍより大きいと、着脱性が悪くなる可能性がある。より好適には２５〜３５ｍｍの範囲が好ましい。
【００２７】
握り部１の長手方向Ａの長さは、手幅長さＨ〜手幅長さＨに両端５ｃｍ以下のゆとりを加えた長さ、すなわち６０歳〜９９歳男女の平均長さである８ｃｍ〜１３ｃｍ（上記参考文献１）の範囲が手のひらをカバーでき、且つ着脱性も良く好適である。握り部１の長手方向Ａの長さが手幅長さより小さいと、手のひらを十分にカバーできず、着脱性が悪くなる可能性がある。逆に、握り部１の長手方向Ａの長さが手幅長さ両端のゆとりが５ｃｍ以上であると、はみ出した部分が障害物となり、介護者の介護に支障をきたす可能性がある。
【００２８】
握り部１のＢ線上断面は、前述した断面形状の条件を満たしていれば、三角形断面や楕円形断面等いかなる断面形状であってもよい。同様に、握り部１の長手方向Ａの形状においても、介護具両端を大きくした形状や柱状形状等いかなる形状であってもよい。
【００２９】
図１〜図３では、外装用材料１ｂからなる布袋中に、内部材料１ａとして中綿を封入したものからなる握り部１の内部に、Ｂ線上断面が扁平である芯材３を挿入して、芯材３に対する中綿の等分布反発により、握り部１のＢ線上断面を扁平に成形したものである。通常、芯材３を入れないと、中綿は等方向へ膨らみ、Ｂ線上断面は円形に近づく。Ｂ線上断面の扁平率は、より好適な内接円Ａ２の直径ａ２の範囲２５〜３５ｍｍと、より好適な外接円Ａ１の直径ａ２の範囲３５〜４５ｍｍを満たす値、すなわち０〜０．５の範囲が好ましい。
【００３０】
握り部１の内部材料１ａの素材としては、手のひらの体圧を吸収・分散し、且つ適度な弾力を持つものが好ましく、綿やビーズ等の流動性素材であってもよいし、スポンジやゴム等の形状記憶素材であってもよい。握り部内部材料１ａに綿やビーズ等の流動性素材を用いる場合、握り部１内部にＢ線上断面が扁平な芯材３を設けると良い。握り部内部材料１ａにスポンジやゴム等の形状記憶素材を用いる場合、Ｂ線上断面が扁平になるよう加工すれば、内部に芯材を設けなくても良い。
【００３１】
握り部外装用材料１ｂの素材としては、手のひらを清潔に保つものが好ましく、制菌作用または消臭、吸湿作用を持った布生地であってもよいし、シート状のものであってもよい。
【００３２】
本発明は、握り部１の長手方向に直交する断面を扁平に薄くすることにより、握り部の手のひら内への着脱性およびフィット性を高めることが可能となる。
【００３３】
また、本発明の保護具を構成する他の要素として、図１に示すように握り部１内部に保護具の着脱の補助と、握り部形状を保持するため芯材３を有し、保護具の洗濯取り扱い性を高めるため、その芯材３を握り部１内部から出し入れ自在にするため、握り部１を袋状に構成することができる。図１の例では、握り部１の内部に、芯材３を入れる中袋３ｄと、握り部１の少なくとも一方の端部に芯材３の出し入れ口３ｅを設けている。
【００３４】
芯材３の素材としては、握り部１の形状を維持できるだけの硬さを有し、且つ握り部１との接触が柔軟であるものが好ましく、樹脂等の硬質な素材にスポンジ等の軟質な素材、そして滑りの良い布生地を順次外装させたものであってもよいし、硬質または軟質部材のみであってもよい。
【００３５】
芯材３を入れる握り部内部の中袋３ｄの素材としては、芯材３の出し入れに適した滑りの良い布生地が好ましい。握り部１内部の中袋３ｄの大きさとしては、芯材３を出し入れし易い大きさ、すなわち芯材３より若干の大きさを有することが好ましい。
【００３６】
本発明においては、このように芯材３を介護具１の内部から出し入れできるようにすることにより、芯材３の洗濯を容易にし、乾きやすくすることが可能となる。
【００３７】
また更に、本発明の保護具を構成する他の要素として、図１に示すように、握り部１の少なくとも一方の端部に握り部１と手のひらを固定するバンド状部２、２を有し、且つその一方のバンド状部２に手のひらと指同士をカバーするための突出部２ａを有することが好ましい。突出部２ａは、保護具使用時に指間に差し込まれ保護具を安定して固定する役目を持つ。図１の例では、握り部１の両端に長さの調節を可能にするため面ファスナー２ｂを有するバンド状部２を設けており、一方のバンド状部２に突出部２ａを３個設けている。
【００３８】
バンド状部２の幅は突出部のａ−ａ’（図１）と同じ長さかそれより若干の大きさを有することが好ましい。また、バンド状部２の長さは、図９おいて、手囲Ｉを十分に覆うことが可能な長さ、すなわち６０歳〜９９歳男女の手囲の９０％カバー率である１６０ｍｍ〜２２０ｍｍ（上記参考文献１）の範囲に、握り部の長手長さを控除した長さであることが好ましい。本発明の保護具においては、長さの調整が可能であればより好ましい。
【００３９】
バンド状部２の素材としては、面ファスナーを設けた布生地であってもよいし、伸縮性のゴムであってもよい。
【００４０】
また、突出部２ａの指骨方向ａ−ａ’の長さは、図６と図８において、少なくとも小指の指股Ｆから第二関節Ｄまでの長さＧ〜中指の指股Ｆから第二関節Ｄまでの長さＧ、すなわち６０歳〜９９歳男女の平均長さである２０ｍｍ〜４０ｍｍ（上記参考文献１）の範囲が指間への挿入性、指同士のカバー性共に良く好適である。突出部２ａの指骨方向ａ−ａ’の長さが２０ｍｍより小さくなると、指の指骨方向ａ−ａ’を十分にカバーできず、逆に４０ｍｍより大きくなると、バンド状部の幅が広くなり、突出部の指間への挿入性が悪くなる。
【００４１】
突出部２ａの間節厚方向ｂ−ｂ’の長さは、図７において、少なくとも小指の第二関節厚Ｄａ〜中指の第二関節厚Ｄａまでの長さ、すなわち６０歳〜９９歳男女の平均長さである１５ｍｍ〜３０ｍｍ（上記参考文献１）の範囲が、固定性と指同士のカバー性共に良く好適である。突出部２ａの間節厚方向ｂ−ｂ’の長さが１５ｍｍより小さくなると、各指の関節厚方向を十分にカバーできず、逆に３０ｍｍより大きくなると、バンド状部２と握り部１とのすき間が大きくなり、保護具が手から外れやすくなる。
【００４２】
突出部２ａ間のすき間の長さは、図６において、少なくとも小指の第二関節幅Ｄｂ〜中指の第二関節幅Ｄｂまでの長さ、すなわち６０歳〜９９歳男女の平均長さである１５ｍｍ〜２５ｍｍ（上記参考文献１）の範囲が、フィット性、固定性共に良く好適である。突出部２ａ間のすき間の長さが１５ｍｍより小さくなると、突出部２ａが指を圧迫してしまい、フィット性が悪くなる可能性があり、逆に２５ｍｍより大きくなると、突出部間のすき間が大きくなり、保護具が手から外れやすくなる。
【００４３】
突出部２ａの素材としては、指の間に差し込みやすい硬さを有し、且つ指との接触が柔軟であるものが好ましく、樹脂等の硬質な素材に綿、ビーズ、スポンジ等の軟質な素材、そして布生地を順次外装させたものであってもよいし、硬質部材または軟質部材のみであってもよい。
【００４４】
保護具端部に設けられたバンド状部２の突出部２ａは、少なくとも示指−中指間、中指−環指間、環指−小指間に差し込まれるように３個を有することが好ましい。
【００４５】
本発明の保護具においては、バンド状部２側に突出部２ａを設けることにより、握り部１の突出部をなくし、握り部１の手のひら内への着脱性、および突出部の指間への挿入性を高めることが可能となる。
【００４６】
本発明の保護具は、本発明を構成するそれぞれの要素を組み合わせたものであってもよいし、単独のものであってもよい。
【００４７】
本発明の保護具は、被介護者だけでなく健常者においても、就寝の際、装着して寝ることにより手のひらを清潔に保つことが可能となる。つまり、介護具だけでなく、保護具として広く使用することができる。また、夏場においては冷蔵庫等で冷やして使用することにより快眠を得ることが可能となる。
【００４８】
【実施例】
実施例および比較例において用いた介護具の着脱性、フィット性、固定性、指同士のカバー性、洗濯取り扱い性の評価基準を表１に示す。
【００４９】
【表１】
2004201976.tif 000003
【００５０】
（実施例１）
図１〜図４および表２に示した介護具、すなわち、握り部１のＢ線上断面における外接円Ａ１の直径ａ１が４５ｍｍ、内接円Ａ２の直径ａ２が２５ｍｍであり、芯材３および突出部２ａを有するバンド状部２を設けた介護具の、着脱性、フィット性、固定性、指同士のカバー性、洗濯取り扱い性を、表１の評価基準により、官能評価を行い５段階で評価し、各評価項目の値の合計を総合評価とした。表２にその結果を示す。
【００５１】
なお、握り部１の長手方向Ａの長さは１３ｃｍとした。握り部１の外装用材料１ｂはポリエステル繊維１００％ネイル地を使用し、握り部内部材料１ａはポリエステル繊維原綿を密度０．２５ｇ／ｃｍ3 で封入した。
【００５２】
また、芯材３は、芯材内部材料３ａに木材、芯材内部材料３ａの外装材料３ｂにスポンジ、芯材３表面の外装材料３ｃにパラシュート生地を順次外装し、長手方向Ａの長さの両端を握り部１の長手方向Ａの長さよりそれぞれ１ｃｍ短くした。芯材３のＢ線上断面における外接円の直径と内接円の直径は、握り部１のＢ線上断面における外接円Ａ１の直径ａ１と内接円Ａ２の直径ａ２よりそれぞれ５０％小さくし、芯材３を出し入れする握り部１内部の中袋３ｄは、芯材３表面の外装材料３ｃと同様、パラシュート生地とし、内周を芯材３のＢ線上断面の外周より５ｍｍ大きくした。
【００５３】
また更に、握り部１端部のバンド状部２の長さは、接合部に面ファスナー２ｂを使用し、１６３ｍｍ〜２１６ｍｍまで調節可能とした。また、バンド状部２の幅は、突出部２ａのａ−ａ’と同じ長さ、すなわち３ｃｍとした。バンド状部２の材料は、握り部１の外装材料と同様ポリエステル１００％ネイル地を使用した。
【００５４】
握り部１端部のバンド状部２に有する突出部２ａの素材は、突出部内部材料２ａａにポリ塩化ビニル板を使用し、突出部内部材料２ａａの外装材料２ａｂにポリエステル繊維１００％ネイル地を二重に巻き、突出部表面の外装材料２ａｃにポリエステル繊維１００％ネイル地を使用した。突出部２ａは３個とし、突出部２ａの指骨方向ａ−ａ’の長さは３ｃｍとした。間節厚方向ｂ−ｂ’の長さおよび突出部間のすき間は２ｃｍとした。なお、突出部２ａとバンド状部２間にも面ファスナー２ｂを使用して付け外し可能とした。
【００５５】
（実施例２）
実施例１の介護具において、突出部２ａおよびバンド状部２を有さない場合の官能評価を行った。表２にその結果を示す。
【００５６】
（実施例３）
実施例１の介護具において、バンド状部２を有し、突出部２ａおよび芯材３を有さない場合の官能評価を行った。表２にその結果を示す。
【００５７】
（実施例４）
実施例１の介護具において、握り部１のＢ線上断面形状の外接円Ａ１の直径ａ１が４０ｍｍ、内接円Ａ２の直径ａ２が３０ｍｍであり、突出部２ａ、バンド状部２および芯材３を有さない場合の官能評価を行った。表２にその結果を示す。
【００５８】
（比較例１）
表２に示した介護具、すなわち握り部１のＢ線上断面形状が直径３５ｍｍの円形であり、握り部１に突出部およびバンド状部２を有し、該バンド状部２に突出部を有さない場合の、介護具の着脱性、フィット性、固定性、指同士のカバー性、洗濯取り扱い性を、官能評価を行い５段階で評価した。表２にその結果を示す。なお、その他の各部の構成および材料は実施例１と同様にした。
【００５９】
（比較例２）
比較例１の介護具において、バンド状部２を有し、該バンド状部２に突出部２ａを有さず、芯材が介護具内部に埋め込まれている場合の官能評価を行った。表２にその結果を示す。
【００６０】
（比較例３）
比較例１の介護具において、握り部１のＢ線上断面形状の直径が２０ｍｍであり、突出部２ａ、バンド状部２および芯材３を有さない場合の官能評価を行った。表２にその結果を示す。
【００６１】
（比較例４）
実施例１の介護具において、握り部１のＢ線上断面形状の外接円Ａ１の直径ａ１が５８ｍｍ、内接円Ａ２の直径ａ２が１２ｍｍであり、突出部２ａ、バンド状部２および芯材３を有さない場合の官能評価を行った。表２にその結果を示す。
【００６２】
表２から明らかなように、本発明の介護具は、バンド状部および突出部を有さない場合、比較例に対して指同士のカバー性および固定性に変化は見られなかったものの、着脱性、フィット性、洗濯取り扱い性が共に良く、バランスの取れた介護具となった。また、突出部を有するバンド状部を設けた場合、着脱性、フィット性、洗濯取り扱い性に加え指同士のカバー性、固定性も優れた介護具となった。本発明の介護具は、発明の要素を多く満す程、総合評価は高いものとなった。
【００６３】
以上の結果を表２と表３に示す。
【００６４】
【表２】
2004201976.tif 000004
【００６５】
【表３】
2004201976.tif 000005
【００６６】
【発明の効果】
本発明の保護具により、医療施設や介護施設、在宅介護における拘縮や筋萎縮症、脳疾患等により手指に硬直症状を有する被介護者の、自身の爪による手のひらの創傷、皮膚のただれや褥瘡、汚れの蓄積を防ぐことができ、介護者が着脱させやすく、洗濯も容易であるという介護する側の介護性を満足するものでありながら、被介護者側にも好適な介護具（保護具）を得ることができる。
【図面の簡単な説明】
【図１】本発明の保護具の一例を示す斜視図である。
【図２】図１の保護具の側面図である。
【図３】図１の保護具の長手方向Ａ線上の断面図である。
【図４】図１の握り部１のＢ線上の断面図である。
【図５】図１の保護具の使用状態を示す概念図である。
【図６】手の甲部を示す全体図である。
【図７】指の構成図である。
【図８】保護具の把持動作における手の甲部を示す状態図である。
【図９】手の手囲を示す斜視図である。
【符号の説明】
１：握り部
１ａ：握り部内部材料
１ｂ：握り部外装用材料
２：バンド状部
２ａ：突出部
２ａａ：突出部内部材料
２ａｂ：突出部内部材料の外装材料
２ａｃ：突出部表面の外装材料
２ｂ：面ファスナー
３：芯材
３ａ：芯材内部材料
３ｂ：芯材内部材料の外装材料
３ｃ：芯材表面の外装材料
３ｄ：芯材出し入れ用中袋
３ｅ：芯材出し入れ口
Ａ１：外接円
ａ１：外接円直径
Ａ２：内接円
ａ２：内接円直径
Ａ：保護具の長手方向
Ｂ：保護具の長手方向の直交方向
Ｃ：指の付け根関節
Ｄ：指の第二関節
Ｄａ：指の第二関節厚
Ｄｂ：指の第二関節幅
Ｅ：指の第一関節
Ｅａ：指の第一関節厚
Ｅｂ：指の第一関節幅
Ｆ：指股
Ｇ：指股から第二関節までの長さ
Ｉ：手囲
【図１】
2004201976.tif 000006
【図２】
2004201976.tif 000007
【図３】
2004201976.tif 000008
【図４】
2004201976.tif 000009
【図５】
2004201976.tif 000010
【図６】
2004201976.tif 000011
【図７】
2004201976.tif 000012
【図８】
2004201976.tif 000013
【図９】
2004201976.tif 000014